(57)【特許請求の範囲】
【請求項１】
光ディスクに光ビームを収束させる対物レンズの周縁部に所定の厚さ寸法で設けられるコバと、前記対物レンズを保持するレンズホルダに設けられ、前記コバを載置する載置部とを備え、前記コバと前記載置部とをポッティング接着する対物レンズとレンズホルダの接着構造において、
前記レンズホルダに、前記載置部の外周側に突出する一対の壁部と、この一対の壁部の間に設けられ前記コバの周側面よりも外周側で前記載置部に対して光ディスク側から離れる方向の段差を有する段差部とを備えた接着個所を前記対物レンズの周方向に複数設け、
前記各接着個所の間において、前記一対の壁部に対し前記コバの周方向に離間した位置に、前記載置部の表面から光ディスク側に突出し前記対物レンズの周側面をガイドして該対物レンズの径方向の位置を規定するガイド壁を設け、
前記段差部に接着剤を盛って、前記コバの周側面と前記載置部をポッティング接着することを特徴とする対物レンズとレンズホルダの接着構造。
【発明の詳細な説明】
【０００１】
【発明の属する技術分野】
本発明は、ＤＶＤ（デジタルバーサタイルディスク）などの光ディスクに光ビームを収束させる対物レンズをレンズホルダにポッティング接着する対物レンズの接着構造に関する。
【０００２】
【従来の技術】
ＤＶＤなどの光ディスクに対して情報の記録や再生が可能な光学式ピックアップは、光ディスクに光ビームを収束させる対物レンズ、この対物レンズを保持するレンズホルダ、このレンズホルダをフォーカス方向とトラッキング方向に駆動する磁気駆動機構、および受発光素子等の各種光学部品などを備えている。
【０００３】
従来から、この種の光学式ピックアップは、対物レンズとレンズホルダをポッティング接着するための接着構造を有する。
【０００４】
この接着構造は、対物レンズの周縁部全体に所定の厚さ寸法で設けられるコバ（鍔部）と、レンズホルダに設けられコバが載置される載置部とを備えている。そして、コバを載置した載置部とコバの周側面との間に接着剤が盛られて、コバの周側面と載置部がポッティング接着されている。なお、このポッティング接着に使用される接着剤は、凝固した状態で柔軟性を有するものである。
【０００５】
このように構成された対物レンズとレンズホルダの接着構造では、対物レンズやレンズホルダが温度や湿度の変化に伴って膨張・収縮したとき、コバの周側面と載置部とを接着している接着剤の塊が、そのときの対物レンズやレンズホルダの膨張量・収縮量および両者の熱膨張係数や吸水率の違いによる膨張量・収縮量の差に応じて柔軟に変形する。すなわち、対物レンズとレンズホルダが膨張・収縮したときに接着箇所おいて対物レンズに与えられる応力が軽減されるので、対物レンズ全体がほぼ均一に膨張・収縮する。したがって、対物レンズが膨張・収縮するときの対物レンズの歪みが抑えられ、対物レンズの歪みに伴う収差の劣化が低減される。
【０００６】
【発明が解決しようとする課題】
ところで、上述した従来の光学式ピックアップは、薄型化に伴って、対物レンズの周縁部に設けられるコバの厚さが、例えば０．４ｍｍや０．５ｍｍなどと極めて薄く設定される。従来の対物レンズとレンズホルダの接着構造では、このようにコバの厚さが薄く設定されていると、載置部とコバの周側面との間に盛られた接着剤がコバの厚さを越えて対物レンズの光ディスク側の表面に付着することがあり、その付着した接着剤によって対物レンズの収差が劣化するという問題が発生する。
【０００７】
また、従来の対物レンズとレンズホルダの接着構造では、載置部上に盛られた接着剤がコバの底面と載置部の表面との間に浸入し、コバと載置部が面接着されることがある。このようにコバと載置部が面接着されると、その面接着された箇所においては接着剤の層の厚みが極めて小さいため、対物レンズの膨張量・収縮量がポッティング接着された場合のようには許容されない。すなわち、対物レンズとレンズホルダが膨張・収縮したときに接着箇所において対物レンズに与えられる応力は軽減されない。したがって、対物レンズが膨張・収縮するときの対物レンズの歪みが抑えられず、対物レンズの歪みに伴う収差の劣化が低減されないという問題が発生する。
【０００８】
例えば、光ピックアップが車載用ＤＶＤプレイヤーに搭載される場合、車載機器では使用温度として定められる温度範囲が例えば−３０〜８５℃と広いので、上述したように対物レンズのコバとレンズホルダの載置部とが面接着されたものでは、この範囲内の温度変化で対物レンズに大きな歪みが生じ、収差が劣化するという懸念がある。
【０００９】
本発明は、上述の問題を考慮してなされたもので、その目的は、対物レンズとレンズホルダをポッティング接着する際の、対物レンズの表面への接着剤の付着を防止でき、また、対物レンズとレンズホルダが面接着されることを防止することができる対物レンズとレンズホルダの接着構造を提供することにある。
【００１０】
【課題を解決するための手段】
上述の目的を解決するために、請求項１に係る発明は、光ディスクに光ビームを収束させる対物レンズの周縁部に所定の厚さ寸法で設けられるコバと、前記対物レンズを保持するレンズホルダに設けられ、前記コバを載置する載置部とを備え、前記コバと前記載置部とをポッティング接着する対物レンズとレンズホルダの接着構造において、
前記レンズホルダに、前記載置部の外周側に突出する一対の壁部と、この一対の壁部の間に設けられ前記コバの周側面よりも外周側で前記載置部に対して光ディスク側から離れる方向の段差を有する段差部とを備えた接着個所を前記対物レンズの周方向に複数設け、
前記各接着個所の間において、前記一対の壁部に対し前記コバの周方向に離間した位置に、前記載置部の表面から光ディスク側に突出し前記対物レンズの周側面をガイドして該対物レンズの径方向の位置を規定するガイド壁を設け、
前記段差部に接着剤を盛って、前記コバの周側面と前記載置部をポッティング接着することを特徴とする構成にしてある。
【００１１】
このように構成した請求項１に係る発明では、対物レンズとレンズホルダを接着する際に、対物レンズのコバをレンズホルダの載置部に載置し、段差部に接着剤を盛ってこの接着剤の塊をコバの周側面に接触させて、コバの周側面と載置部とをポッティング接着する。
【００１２】
このようにして対物レンズとレンズホルダを接着する際、載置部よりも対物レンズの光ディスク側の表面から離れた位置にある段差部に接着剤を盛るので、接着剤を対物レンズのコバの厚みを越えないように盛ることができる。したがって、対物レンズの光ディスク側の表面への接着剤の付着を防止することができる。
【００１３】
また、段差部に盛られた接着剤を、載置部と段差部の段差を形成する壁面部分を伝わせてコバの周側面に接触させることができるので、接着剤がコバの周側面に接触する際の接着剤の流動が緩やかとなり、これにより、コバの底面と載置部の表面との間に接着剤が浸入しにくくすることができる。したがって、対物レンズとレンズホルダとが面接着されることを防止することができる。
【００１４】
また、一対の壁部により段差部の周方向へ接着剤が流出することを防止できるので、対物レンズの周側面とガイド壁の内周面との面接着を防ぐことができる。
【００１５】
【発明の実施の形態】
以下に、本発明の対物レンズとレンズホルダの接着構造の一実施形態を図に基づいて説明する。
【００１６】
本実施形態によって接着される対物レンズとレンズホルダは、ＤＶＤなどの光ディスクに対して情報の記録や再生が可能な光学式ピックアップに備えられている。
【００１７】
はじめに、一般的な光学式ピックアップについて説明する。
【００１８】
光学式ピックアップは、ＤＶＤなどの光ディスクに光ビームを収束させる対物レンズ、この対物レンズを保持するレンズホルダ、このレンズホルダをフォーカス方向とトラッキング方向に駆動する磁気駆動機構、および受発光素子等の各種光学部品などを備えている。
【００１９】
磁気駆動機構は、レンズホルダに取り付けられたフォーカスコイルおよびトラッキングコイルと、これらのコイルを横切る磁束を発生させる磁気回路によって構成されている。
【００２０】
このように構成される光学式ピックアップでは、対物レンズで収束された光ビームを光ディスクのデータトラックに照射することにより、情報の記録や再生がおこなわれる。その際、光ビームのスポット径をデータトラックに対して制御するフォーカスサーボと、光ビームのスポットをデータトラックに追従させるトラッキングサーボとがおこなわれる。
【００２１】
次に本実施形態について説明する。
【００２２】
図１は、本実施形態の構成部分を含むレンズホルダを示す平面図、図２は、図１に示すレンズホルダのＩ−Ｉ断面図、図３は、図２に示すレンズホルダに対物レンズがポッティング接着された状態を示す要部断面図である。
【００２３】
本実施形態の構成部分を含む上述のレンズホルダ１は、レンズホルダ１の長手方向に延びる各側面の両側部に一対ずつ設けられ、対物レンズ９の光軸と直交する軸上に配置されるトラッキングコイルの巻軸３ａと、レンズホルダ１の周側面に設けられ、対物レンズ９の光軸と同軸的に配置されるフォーカスコイルの巻軸３ｂと、図示しないトラッキングコイルの端末およびフォーカスコイルの端末が巻回される端子板４などを備えている。
【００２４】
特に、本実施形態では、図１〜３に示すように、上述の対物レンズ９の周縁部全体に所定の厚さ寸法で環状のコバ１０（鍔部）を一体に設けてある。コバ１０の厚さ寸法は、例えば０．４ｍｍや０．５ｍｍなどの薄い寸法に設定してある。また、対物レンズ９が配置されるレンズホルダ１の開口２の周囲には、コバ１０の底面を載置するための環状の載置部６を設けてある。
【００２５】
また、コバ１０に対する載置部６の接着箇所５を、対物レンズ９の周方向に例えば４箇所設けてある。各接着箇所５は、載置部６の表面と頂面が同一面で外周側に突出する一対の壁部７と、この一対の壁部７の間に設けられ、コバ１０の周側面よりも外周側で載置部６に対して光ディスク側１３から離れる方向に落ち込む段差を有する段差部８とを備えている。段差部８には接着剤を盛って、載置部６に載置された対物レンズ９のコバ１０の周側面と載置部６とを接着剤の塊１１によって接着してある。なお、本実施形態で使用する接着剤は、凝固した状態で柔軟性を有するものである。
【００２６】
さらに、各接着箇所５の間には、載置部６の表面から上方へ突出するガイド壁１４を載置部６と一体に設けてある。これらガイド壁１４の内径は、対物レンズ９のコバ１０の外径よりもわずかに大きく設定してある。すなわち、対物レンズ９の径方向の位置は、これらガイド壁１４によって規定してある。
【００２７】
このように構成した本実施形態では、対物レンズ９をレンズホルダ１にポッティング接着する際、対物レンズ９を開口２に配置し、コバ１０を載置部６の表面に載置する。このとき、コバ１０の周側面は、ガイド壁１４の内周面にガイドされ、対物レンズ９の径方向の位置決がなされる。そして、各接着箇所５において一対の壁部７に挟まれた段差部８に接着剤を盛って接着剤の塊１１を形成し、この接着剤の塊１１をコバ１０の周側面に接触させて、コバ１０の周側面と載置部６を接着する。
【００２８】
このようにしてポッティング接着する際、載置部６よりも対物レンズ９の光ディスク側１３の表面９ａから離れた位置にある段差部８に接着剤を盛るので、接着剤をコバ１０の厚みを越えないように盛ることができ、これにより、対物レンズ９の表面９ａに接着剤が付着するのを防止することができる。
【００２９】
また、段差部８に盛られた接着剤を、載置部６と段差部８の段差を形成する壁面部分１２を伝わせてコバ１０の周側面に接触させるので、接着剤がコバ１０の側面に接触する際の接着剤の流動を緩やかにでき、コバ１０の底面と載置部６の表面との間に接着剤が浸入しにくくすることができる。また、段差部８からコバ１０の周側面にかけて盛られた接着剤の塊１１が、段差部８と載置部６の段差を形成する壁面部分１２によって、コバ１０の周側面と載置部６の表面とにより形成される隅部に向かって流動しにくくなるので、この点においても、接着剤がコバ１０と載置部６の間に浸入しにくくすることができる。したがって、対物レンズ９とレンズホルダ１が面接着されることを防止することができる。
【００３０】
また、段差部８の周方向両側に設けられている壁部７により、段差部８から接着剤が流出するのを抑制できるので、接着剤の塊１１を効率良く形成することができる。
【００３１】
また、壁部７によって段差部８の周方向へ接着剤が流出することを防止できるので、対物レンズ９の周側面とガイド壁１４の内周面との間に接着剤が流入し、この部分が面接着されることを防ぐことができ、対物レンズ９の歪み、および対物レンズ９の歪みによる収差の劣化を防止できる。
【００３２】
このようにして対物レンズ９が載置部６にポッティング接着されると、対物レンズ９およびレンズホルダ１が温度や湿度の変化に伴って膨張・収縮したとき、コバ１０の周側面と載置部６とを接着している接着剤の塊１１が、対物レンズ９とレンズホルダ１の膨張量・収縮量に応じて柔軟に変形する。同時に、対物レンズ９とレンズホルダ１の両者の熱膨張係数や吸水率の違いによる膨張量・収縮量の差異が接着剤の変形により吸収される。
【００３３】
すなわち、対物レンズ９が膨張・収縮したときに接着箇所５において対物レンズ９に与えられる応力が軽減されるので、対物レンズ９全体がほぼ均一に膨張・収縮する。したがって、対物レンズ９が膨張・収縮するときの対物レンズ９の歪みが抑えられ、対物レンズ９の歪みに伴う収差の劣化が低減される。
【００３４】
このように本実施形態では、段差部８に接着剤を盛ることにより、載置部６に盛られた接着剤がコバ１０の厚みを越えて対物レンズ９の光ディスク側１３の表面９ａに付着することを防止でき、したがって、対物レンズ９の表面９ａに接着剤が付着することによる対物レンズ９の収差の劣化を防止することができる。
【００３５】
また、本実施形態では、段差部８に接着剤を盛ることにより、接着剤がコバ１０と載置部６の間に浸入しにくくなるので、コバ１０と載置部６が面接着されることを防止でき、これにより、対物レンズ９とレンズホルダ１のポッティング接着を従来技術よりも正確におこなうことができる。
【００３６】
また、本実施形態では、段差部８と載置部６の段差を形成する壁面部分１２が接着面積に含まれるので、対物レンズ９とレンズホルダ１の接着面積を従来技術よりも大きく設定することが可能になり、対物レンズ９とレンズホルダ１の接着強度を向上させることができる。
【００３７】
また、本実施形態では、一対の壁部７の間に段差部８を設けたので、段差部８上に接着剤の塊１１を形成しやすく、これにより、対物レンズ９とレンズホルダ１の接着作業の作業効率を向上させることができる。
【００３８】
【発明の効果】
以上に述べたように、本発明によれば、段差部に接着剤を盛ることにより、接着剤がコバの厚みを越えて対物レンズの光ディスク側の表面に付着するのを防止でき、したがって、対物レンズの表面に接着剤が付着することによる対物レンズの収差の劣化を防止することができる。
【００３９】
また、段差部に接着剤を盛ることにより、接着剤がコバと載置部の間に浸入しにくくなるので、コバと載置部との面接着を防止でき、これにより、対物レンズとレンズホルダのポッティング接着を従来技術よりも正確におこなうことができる。
【００４０】
また、段差部と載置部との段差を形成する壁面部分が接着面積に含まれるので、対物レンズとレンズホルダの接着面積を従来技術よりも大きく設定することが可能になり、対物レンズとレンズホルダの接着強度を向上させることができる。
また、一対の壁部により段差部の周方向へ接着剤が流出することを防止できるので、対物レンズの周側面とガイド壁の内周面との面接着を防ぐことができ、対物レンズの歪み、および対物レンズの歪みによる収差の劣化を防止することができる。
【図面の簡単な説明】
【図１】図１は、本発明の対物レンズとレンズホルダの接着構造の構成部分を含むレンズホルダを示す平面図である。
【図２】図１に示すレンズホルダのＩ−Ｉ断面図である。
【図３】図２に示すレンズホルダに対物レンズがポッティング接着された状態を示す要部断面図である。
【符号の説明】
１  レンズホルダ
５  接着箇所
６  載置部
７  壁
８  段差部
９  対物レンズ
９ａ  対物レンズの表面
１０  コバ
１１  接着剤の塊
１２  壁面部分
１３  光ディスク側
【図１】
0003986324.tif 000002
【図２】
0003986324.tif 000003
【図３】
0003986324.tif 000004